(57)【要約】【課題】熱交換器から導かれた水が流れる流水路から円滑に水をドレンパンへ導くことができる空気調和装置の室内機を提供する。【解決手段】室内熱交換器から滴下する水を受ける流水路５と、流水路５から導かれた水を受けるドレンパンとを備えている空気調和装置の室内機であって、流水路５は、長手方向Ｄ１の一方向に向かって全体が傾斜するとともに、長手方向Ｄ１に直交する幅方向Ｄ２の一方向に向かって全体が傾斜する底面５ａを有している。【選択図】図３
2018173214.tif 000002
【特許請求の範囲】
【請求項１】
熱交換器から滴下する水を受ける流水路と、
該流水路から導かれた水を受けるドレンパンと、
を備えている空気調和装置の室内機であって、
前記流水路は、長手方向の一方向に向かって全体が傾斜するとともに、該長手方向に直交する幅方向の一方向に向かって全体が傾斜する底面を有していることを特徴とする空気調和装置の室内機。
【請求項２】
前記底面は、前記熱交換器の下端が設置された熱交換器設置面よりも下方に位置していることを特徴とする請求項１に記載の空気調和装置の室内機。
【請求項３】
前記熱交換器設置面は、前記長手方向において、前記幅方向の寸法が小さくなる凹部と該寸法が大きくなる凸部とを有し、
前記熱交換器設置面と前記熱交換器の下面との間には、遮風部材が設けられていることを特徴とする請求項２に記載の空気調和装置の室内機。
【発明の詳細な説明】
【技術分野】
【０００１】
本発明は、ドレン水を排出するドレンパンを備えた空気調和装置の室内機に関するものである。
【背景技術】
【０００２】
空気調和装置の室内機には、冷房時等に熱交換器にて凝縮したドレン水を集めて外部に排出するためのドレンパンが設けられている。下記特許文献１及び２には、ドレンパンを一方向に傾斜させてドレン水を排水する発明が開示されている。
【先行技術文献】
【特許文献】
【０００３】
【特許文献１】国際公開第２０１５／１３６７１１号
【特許文献２】特開２０１５−１０２２５７号公報
【発明の概要】
【発明が解決しようとする課題】
【０００４】
しかし、ドレンパンを傾斜させて円滑に外部に排水できても、ドレン水をドレンパンへ導く流水路からドレンパンまで円滑にドレン水を導くことが困難な場合がある。例えば、一方向に傾斜させて流水路を設けたとしても、室内機が傾いて据え付けられた場合には流水路に設けた傾斜が有効に機能せずドレン水が溜まったりあふれたりするおそれがある。
【０００５】
本発明は、このような事情に鑑みてなされたものであって、熱交換器から導かれた水が流れる流水路から円滑に水をドレンパンへ導くことができる空気調和装置の室内機を提供することを目的とする。
【課題を解決するための手段】
【０００６】
上記課題を解決するために、本発明の空気調和装置の室内機は以下の手段を採用する。
すなわち、本発明にかかる空気調和装置の室内機は、熱交換器から滴下する水を受ける流水路と、該流水路から導かれた水を受けるドレンパンと、を備えている空気調和装置の室内機であって、前記流水路は、長手方向の一方向に向かって全体が傾斜するとともに、該長手方向に直交する幅方向の一方向に向かって全体が傾斜する底面を有していることを特徴とする。
【０００７】
熱交換器で凝縮した水は流水路へと導かれドレンパンへと流れ込む。流水路には、長手方向の一方向に向かって全体が傾斜するとともに、幅方向の一方向に向かって全体が傾斜する底面を有しているので、流水路に流れ込んだ水は、長手方向に一方向に集められるとともに幅方向の一方向に集められる。このように、室内機が傾斜されて取り付けられても、底面の全体が長手方向及び幅方向に傾斜されているので、底面の傾斜が常に維持されることになり、円滑に水をドレンパンへと導くことができる。
【０００８】
さらに、本発明の空気調和装置の室内機では、前記底面は、前記熱交換器の下端が設置された熱交換器設置面よりも下方に位置している。
【０００９】
流水路の底面が熱交換器の下端が設置された熱交換器設置面よりも下方に位置しているので、熱交換器から導かれた水は常に底面へと流下することになり、水を円滑に流すことができる。
【００１０】
さらに、本発明の空気調和装置の室内機では、前記熱交換器設置面は、前記長手方向において、前記幅方向の寸法が小さくなる凹部と該寸法が大きくなる凸部とを有し、前記熱交換器設置面と前記熱交換器の下面との間には、遮風部材が設けられている。
【００１１】
熱交換器設置面を、長手方向において、幅方向の寸法が小さくなる凹部と該寸法が大きくなる凸部とを有する形状とした。これにより、凹部では底部にアクセスするスペースを凸部よりも大きく確保することができる。これにより、熱交換器設置面に設ける遮風部材を取り付ける際に容易にアクセスすることができる。なお、遮風部材は、熱交換器の下面と熱交換器設置面との間の隙間を埋めて、熱交換器によって熱交換が行われないで隙間を通過する空気を極小化するものである。
【発明の効果】
【００１２】
流水路の底面の全体が長手方向及び幅方向に傾斜されているので、底面の傾斜が常に維持されることになり、円滑に水をドレンパンへと導くことができる。
【図面の簡単な説明】
【００１３】
【図１】本発明の一実施形態に係る空気調和装置の室内機を示した斜視図である。
【図２】図１の室内機の内部を示した斜視図である。
【図３】図１の室内機の熱交換器設置面の周りを見た部分拡大図である。
【図４】図１の室内機の内部に設けられた室内熱交換器を示した正面図である。
【図５】流水路を示し、（ａ）は図４の切断線Ａ−Ａにおける断面図、（ｂ）は図４の切断線Ｂ−Ｂにおける断面図である。
【発明を実施するための形態】
【００１４】
以下に、本発明にかかる一実施形態について、図面を参照して説明する。
図１には、空気調和装置の室内機１の外観が示されている。室内機１は、壁掛形とされており、上方から室内空気を吸い込み、下方から室内へと空調後の空気を吹き出す。室内機１は、図示しない室外機と接続されており、室外機にて圧縮された冷媒の供給を受け、室内機１の内部に設けられた室内熱交換器によって室内の空気を所定温度に調整する。
【００１５】
図２には、室内機１の内部が示されている。同図では、室内熱交換器やファンが取り外された状態が示されている。室内の壁部に設置されるベースプレート３には、室内熱交換器にて凝縮したドレン水が導かれる流水路５が形成されている。流水路５は、ベースプレート３の左右方向（水平方向）に延在する溝部とされている。流水路５の上方には、室内熱交換器の下面を支持する設置面（熱交換器設置面）６が設けられている。
【００１６】
流水路５は、室内機１の左端において略直角に折り曲げられて下方へ向かうように形成されている。この流水路５の下端から流下するドレン水を受けるように、ベースプレート３の下方にドレンパン７が設けられている。ドレンパン７は、ドレン水を一時的に貯留して室内機１の外部へ排出する。
【００１７】
図３に示すように、流水路５の底面５ａは、左側が下方となるように長手方向Ｄ１の全体が傾斜しており、かつ、手前側（室内機前方側）が下方に幅方向Ｄ２の全体が傾斜している。これによりドレン水が左方でかつ手前側へと導かれるようになっている。なお、流水路５の傾斜方向はもちろん右方や奥側（室内機後方側）としても良い。
【００１８】
図２及び図３に示すように、設置面６は、幅方向に寸法が小さい凹部６ａと幅方向に寸法が大きい凸部６ｂとを有している。すなわち、設置面６の手前側において、長手方向に凹部６ａと凸部６ｂとが交互に設けられている。
【００１９】
図４に示されているように、室内機１の内部には室内熱交換器９が設けられている。同図に示された室内熱交換器９は、室内機１の背面側に設けられている。
【００２０】
図５（ａ）には、図４の切断線Ａ−Ａにおける断面図が示されており、図５（ｂ）には、図４の切断線Ｂ−Ｂにおける断面図が示されている。
図５（ａ）及び（ｂ）に示されているように、室内熱交換器９の下面と設置面６との間には、インシュレータとして遮風部材８が設けられている。遮風部材８は、図２及び図３に示した設置面６の形状に略一致させた形状とされている。遮風部材８は、室内熱交換器９の下面と設置面６との間の隙間を埋める可撓性を有する部材であり、室内熱交換器９によって熱交換が行われないで隙間を通過する空気を極小化するために用いられる。
【００２１】
図５（ａ）における遮風部材８すなわち設置面６の幅Ｗ１は、図５（ｂ）における遮風部材８すなわち設置面６の幅Ｗ２よりも大きくなっている。この幅Ｗ１，Ｗ２は、図２及び図３に示した設置面６に設けた凹部６ａと凸部６ｂとに対応したものである。すなわち、設置面６の凹部６ａにおいては、図５（ｂ）に示すように流水路５に開口する幅（例えば２０ｍｍ〜３０ｍｍ）が大きくなり、設置面６の凸部６ｂにおいては、図５（ａ）に示すように流水路５に開口する幅（例えば１５ｍｍ程度）が小さくなっている。したがって、図５（ａ）に示したように、設置面６の幅が小さく流水路５に開口する幅が大きい位置においては流水路５の上方から作業者がアクセスしやすいようになっている。
【００２２】
図５（ａ）及び（ｂ）から分かるように、設置面６の下方に流水路５の底面５ａが設けられており、また、設置面６及び底面５ａはともに室内機１の手前側（同図において左方）が下方となるように傾斜している。
なお、図５において室内熱交換器９が２つ重ねて設けられているが、１つの熱交換器であっても良い。
【００２３】
上述の室内機１によれば、以下の作用効果を奏する。
室内熱交換器９で凝縮した水は流水路５へと導かれドレンパン７へと流れ込む。流水路５には、長手方向Ｄ１の一方向に向かって全体が傾斜するとともに、幅方向Ｄ２の一方向に向かって全体が傾斜する底面５ａを有しているので、流水路５に流れ込んだ水は、長手方向Ｄ１に一方向に集められるとともに幅方向Ｄ２の一方向に集められる。このように、室内機１が傾斜されて取り付けられても、底面５ａの全体が長手方向Ｄ１及び幅方向Ｄ２に傾斜されているので、底面５ａの傾斜が常に維持されることになり、円滑に水をドレンパン７へと導くことができる。
【００２４】
図５に示したように、流水路５の底面５ａが室内熱交換器９の下端が設置された設置面６よりも下方に位置しているので、室内熱交換器９から導かれたドレン水は常に底面５ａへと流下することになり、ドレン水を円滑に流すことができる。
【００２５】
設置面６を、長手方向において、幅方向の寸法が小さくなる凹部６ａと幅方向の寸法が大きくなる凸部６ｂとを有する形状とした。これにより、凹部６ａでは底面５ａにアクセスするスペースを凸部６ｂよりも大きく確保することができる。これにより、設置面６に設ける遮風部材８を取り付ける際に容易にアクセスすることができる。
【符号の説明】
【００２６】
１  室内機
３  ベースプレート
５  流水路
５ａ  底面
６  設置面（熱交換器設置面）
７  ドレンパン
８  遮風部材
９  室内熱交換器（熱交換器）
【図１】
2018173214.tif 000003
【図２】
2018173214.tif 000004
【図３】
2018173214.tif 000005
【図４】
2018173214.tif 000006
【図５】
2018173214.tif 000007